(57)【要約】【課題】商品画像を使用した場合のイメージの作成を容易な操作にて実現することを可能とする販売支援プログラム及び販売支援装置を提供する。【解決手段】コンピュータに、カタログに含まれる販売対象の商品画像を記憶部に記憶させ、商品画像を表示部に表示させる販売支援プログラムにおいて、前記コンピュータに、カタログに対応するフォルダ画像を表示部に一覧表示するステップ、一覧表示されたフォルダ画像からいずれかの選択を受け付けるステップ、選択されたフォルダ画像に対応するカタログに含まれる商品画像の一覧を表示部に表示するステップ、一覧表示された商品画像からの選択を受け付けるステップ、選択された商品画像を撮像画像上に重畳表示させ、拡縮、回転、又は移動を撮像画像上で受け付けるステップ、拡縮、回転又は移動後の商品画像を、撮像画像上に重畳させた合成画像を作成するステップを実行させる。【選択図】図５
2016149022.tif 000002
【特許請求の範囲】
【請求項１】
撮像された撮像画像を取得する取得部、画像を表示する表示部、及び記憶部を備えるコンピュータに、カタログに含まれる販売対象の商品画像を前記記憶部に記憶させ、前記商品画像を前記表示部に表示させる販売支援プログラムにおいて、
前記コンピュータに、
前記カタログに対応するフォルダ画像を前記表示部に一覧表示するステップ、
一覧表示されたフォルダ画像からいずれかの選択を受け付けるステップ、
選択されたフォルダ画像に対応するカタログに含まれる商品画像の一覧を前記表示部に表示するステップ、
一覧表示された商品画像からの選択を受け付けるステップ、
選択された商品画像を前記撮像画像上に重畳表示させ、商品画像の拡縮、回転、又は移動を、前記撮像画像上で受け付けるステップ、及び、
拡縮、回転又は移動後の商品画像を、前記撮像画像上に重畳させた合成画像を作成するステップ
を実行させることを特徴とする販売支援プログラム。
【請求項２】
前記コンピュータに、作成された前記合成画像をＳＮＳ上の他装置宛てに送信するステップ
を更に実行させることを特徴とする請求項１に記載の販売支援プログラム。
【請求項３】
前記コンピュータに、
選択された商品画像の品名又は品番の情報を取得するステップ、及び、
取得された品名又は品番の情報を前記合成画像に対応付けるステップ
を更に実行させることを特徴とする請求項１に記載の販売支援プログラム。
【請求項４】
撮像された撮像画像を取得する取得部、画像を表示する表示部、及びカタログに含まれる販売対象の商品画像を記憶する記憶部を備え、前記商品画像を前記表示部に表示させる販売支援装置であって、
前記カタログに対応するフォルダ画像を前記表示部に一覧表示させる手段と、
一覧表示されたフォルダ画像から選択を受け付ける手段と、
選択されたフォルダ画像に対応するカタログに含まれる商品画像の一覧を前記表示部に表示させる手段と、
一覧表示された商品画像からの選択を受け付ける手段と、
選択された商品画像を前記撮像画像上に重畳表示させ、商品画像の拡縮、回転、又は移動を、前記撮像画像上で受け付ける手段と、
拡縮、回転又は移動後の商品画像を、前記撮像画像上に重畳させた合成画像を作成する手段と
を備えることを特徴とする販売支援装置。
【発明の詳細な説明】
【技術分野】
【０００１】
本発明は、商品画像の閲覧を情報端末にて実現し、商品の販売を支援する販売支援プログラムに関し、容易な操作で商品画像の使用イメージを作成することを可能とする販売支援プログラム、及び販売支援装置に関する。
【背景技術】
【０００２】
多くの商品を扱う製造業者又は販売業者は、取扱商品の商品画像のほぼ全てを掲載した分厚い紙媒体のカタログを用いて営業活動を行なってきた。分厚いカタログの閲覧は非常に煩雑であるため、各業者の取扱商品の分野毎、又は、商品の色調、質感から想起させるイメージのカテゴリ毎にカタログを分冊するなどの工夫がなされてきた。しかしながらそれでも、カタログを持参して営業活動を行なうことは営業担当者及び商品を選択するエンドユーザの負担となっていた。
【０００３】
昨今の電子機器の性能の向上により、ディスプレイ上で分厚いカタログをめくるように操作して商品画像を閲覧することが可能なデジタルカタログが広く使用されている（特許文献１等）。１台の電子機器にて、複数のデジタルカタログの表紙のサムネイル画像を一覧にして表示し、その中から選択されたデジタルカタログの各ページ画像を表示するなども実現されている。更にこれらのデジタルカタログでは、各ページ画像内に埋め込まれたタグなどに基づく制御によって、閲覧履歴の記録、しおりの作成、更には直接的な注文実施などの各種機能の実現が提案されている。
【０００４】
ディスプレイ上でデジタルカタログが閲覧可能であっても、実際に商品を使用した場合のイメージを得ることは困難である。そこで、商品の三次元データを用いて実際に設置した場合、又は実際に着用した場合にどのようなイメージになるかシミュレーションする方法が各種提案されている（特許文献２等）。
【先行技術文献】
【特許文献】
【０００５】
【特許文献１】特開２０１３−１５２７２４号公報
【特許文献２】特開２００４−１５１９９９号公報
【発明の概要】
【発明が解決しようとする課題】
【０００６】
デジタルカタログでは上述したように、商品画像、及び代表的な使用イメージを閲覧することはできても、実際に購入を希望するエンドユーザの使用環境における使用イメージを得ることはできない。商品の三次元データを用いたシミュレーションにより、実際の使用環境における使用イメージを得ることはできるが、三次元データを用いたシミュレーションの処理負荷が重く、使用者である営業担当者又はエンドユーザに不満が残る結果となりかねない。更に、高機能化されたシミュレーションでは、操作手順の煩雑さによって使用者に困難を感じさせる可能性がある。
【０００７】
本発明は斯かる事情に鑑みてなされたものであり、商品画像を使用した場合のイメージの作成を容易な操作にて実現することを可能とする販売支援プログラム及び販売支援装置を提供することを目的とする。
【課題を解決するための手段】
【０００８】
本発明に係る販売支援プログラムは、撮像された撮像画像を取得する取得部、画像を表示する表示部、及び記憶部を備えるコンピュータに、カタログに含まれる販売対象の商品画像を前記記憶部に記憶させ、前記商品画像を前記表示部に表示させる販売支援プログラムにおいて、前記コンピュータに、前記カタログに対応するフォルダ画像を前記表示部に一覧表示するステップ、一覧表示されたフォルダ画像からいずれかの選択を受け付けるステップ、選択されたフォルダ画像に対応するカタログに含まれる商品画像の一覧を前記表示部に表示するステップ、一覧表示された商品画像からの選択を受け付けるステップ、選択された商品画像を前記撮像画像上に重畳表示させ、商品画像の拡縮、回転、又は移動を、前記撮像画像上で受け付けるステップ、及び、拡縮、回転又は移動後の商品画像を、前記撮像画像上に重畳させた合成画像を作成するステップを実行させることを特徴とする。
【０００９】
本発明に係る販売支援プログラムは、前記コンピュータに、作成された前記合成画像をＳＮＳ上の他装置宛てに送信するステップを更に実行させることを特徴とする。
【００１０】
本発明に係る販売支援プログラムは、前記コンピュータに、選択された商品画像の品名又は品番の情報を取得するステップ、及び、取得された品名又は品番の情報を前記合成画像に対応付けるステップを更に実行させることを特徴とする。
【００１１】
本発明に係る販売支援装置は、撮像された撮像画像を取得する取得部、画像を表示する表示部、及びカタログに含まれる販売対象の商品画像を記憶する記憶部を備え、前記商品画像を前記表示部に表示させる販売支援装置であって、前記カタログに対応するフォルダ画像を前記表示部に一覧表示させる手段と、一覧表示されたフォルダ画像から選択を受け付ける手段と、選択されたフォルダ画像に対応するカタログに含まれる商品画像の一覧を前記表示部に表示させる手段と、一覧表示された商品画像からの選択を受け付ける手段と、選択された商品画像を前記撮像画像上に重畳表示させ、商品画像の拡縮、回転、又は移動を、前記撮像画像上で受け付ける手段と、拡縮、回転又は移動後の商品画像を、前記撮像画像上に重畳させた合成画像を作成する手段とを備えることを特徴とする。
【００１２】
本発明では、カタログに含まれる販売対象の商品画像が、フォルダ画像の一覧から選択された場合に一覧表示され、更に選択が受け付けられる。端的に言えば、本発明ではデジタルカタログがフォルダ化されて表示される。また選択された商品画像は撮像されている撮像画像上に重畳表示され、撮像画像上での拡縮、回転又は移動などの編集が可能であり、撮像画像上に選択された商品画像が重畳された合成画像が作成される。実際の使用対象環境を撮像した画像上に商品画像を合成した合成画像を容易に作成することができる。
【００１３】
本発明では更に、作成された合成画像のＳＮＳサーバへの自動送信、又は印刷出力装置への自動送信によって多様な形態に自動的に出力することが可能であり、合成画像を容易に他者へ提供することができる。
【発明の効果】
【００１４】
本発明による場合、使用者は、デジタルカタログの閲覧というよりもフォルダ毎に分類された商品画像を選択することが可能であり、実際の使用対象環境を撮像した画像上に重畳させて得られる合成画像を容易な操作で手軽に作成することができる。
【図面の簡単な説明】
【００１５】
【図１】本実施の形態の販売支援サービスの概要を示す説明図である。
【図２】本実施の形態の販売支援サービスを実現するシステム構成を示すブロック図である。
【図３】販売支援サーバ装置における画像データ抽出手順の一例を示すフローチャートである。
【図４】販売支援端末装置にて実行される処理手順の一例を示すフローチャートである。
【図５】販売支援端末装置における表示画面の一例を示す説明図である。
【図６】販売支援端末装置における表示画面の一例を示す説明図である。
【図７】販売支援端末装置における表示画面の一例を示す説明図である。
【図８】販売支援端末装置における表示画面の一例を示す説明図である。
【発明を実施するための形態】
【００１６】
以下、本発明をその実施の形態を示す図面に基づいて具体的に説明する。
【００１７】
図１は、本実施の形態の販売支援サービスの概要を示す説明図である。販売支援サービスは、販売支援端末装置１と販売支援サーバ装置２とで実現される。販売支援端末装置１は、商品の製造業者又は販売業者等の営業担当者Ｓ、又は、購入者であるエンドユーザＣが所有している所謂タブレットＰＣ（Personal Computer ）である。販売支援サーバ装置２は、前記製造業者又は販売業者等へ販売支援サービスを提供するサービス提供者が管理するサーバである。販売支援サーバ装置２では、前記製造業者又は販売業者等から各業者の取扱商品の画像の提供を受け、販売支援端末装置１が本発明に係る販売支援装置として機能する際に使用する画像データを記憶している。販売支援端末装置１は、アクセスポイントＡＰ及びネットワークＮ経由にて販売支援サーバ装置２に接続することが可能であり、販売支援サーバ装置２から商品画像の画像データを適宜取得することができる。販売支援端末装置１は、営業担当者Ｓが実際の使用環境を撮像できる場で用いられ、予め、又はその場で販売支援サーバ装置２から取得した商品画像の画像データに基づき、実際の使用環境にて商品を使用した場合のイメージをエンドユーザＣへ提供することを容易に実現する。
【００１８】
図２は、本実施の形態の販売支援サービスを実現するシステム構成を示すブロック図である。販売支援端末装置１は上述したようにタブレットＰＣを用い、制御部１０、記憶部１１、一時記憶部１２、表示部１３、操作部１４、通信部１５及び撮像部１６を備える。なお販売支援端末装置１はタブレットＰＣに限らず、所謂スマートフォンなどの携帯型端末装置でもよく、更には据置型のデスクトップＰＣであってもよい。
【００１９】
販売支援端末装置１の制御部１０は、ＣＰＵ（Central Processing Unit ）を用いる。制御部１０は、記憶部１１に記憶されているアプリプログラム１Ｐを含む各コンピュータプログラムを読み出して実行することにより、汎用的なタブレットＰＣを本発明に係る販売支援装置として機能させる。
【００２０】
記憶部１１は、フラッシュメモリを用いる。記憶部１１は、制御部１０が読み出すアプリプログラム１Ｐを含むコンピュータプログラムを記憶している。なお、記憶部１１は、フラッシュメモリ以外の記憶装置を用いてもよい。一時記憶部１２は、ＤＲＡＭ（Dynamic Random Access Memory）等のＲＡＭを用いる。一時記憶部１２は、制御部１０の処理によって生成される情報を一時的に記憶する。
【００２１】
表示部１３は、タッチパネル内蔵型液晶ディスプレイを用いる。制御部１０は、表示部１３へテキスト及びアイコン等の画像を含む各種操作画面を表示させる。なお、表示部１３は、液晶ディスプレイ以外のものを用いてもよいし、タッチパネル内蔵型でなくともよい。操作部１４は、表示部１３に内蔵されるタッチパネル及び販売支援端末装置１の筐体に設けられるボタン群を用いる。操作部１４は、タッチパネルにてユーザによる接触及び接触箇所の位置情報を制御部１０へ通知する。また、操作部１４は、ボタンの押下及び押下時間等の情報を制御部１０へ通知する。
【００２２】
通信部１５は、無線通信を実現する。制御部１０は通信部１５により、アクセスポイントＡＰ経由でネットワークＮ上の各装置と通信することが可能である。
【００２３】
撮像部１６は、ＣＭＯＳ（Complementary Metal Oxide Semiconductor ）イメージセンサを用いる。制御部１０は、撮像部１６で撮影された撮像画像を取得し、記憶部１１に画像データ１１０として記憶させることが可能である。なお撮像部１６は、ＣＭＯＳイメージセンサのみならず、ＣＣＤ（Charge Coupled Device ）イメージセンサを用いてもよい。
【００２４】
販売支援サーバ装置２は、サーバコンピュータを用いる。販売支援サーバ装置２は複数の装置から構成されてもよいし、クラウドサーバであってもよい。販売支援サーバ装置２は、制御部２０、記憶部２１、一時記憶部２２、画像ＤＢ（Data Base ）２３及び通信部２４を備える。
【００２５】
制御部２０は、ＣＰＵを用いる。制御部２０は、記憶部２１に記憶されているサーバプログラム２Ｐを読み出して実行することにより、各構成部を制御し、サーバコンピュータを販売支援サービスの販売支援サーバ装置２として機能させる。
【００２６】
記憶部２１は、ハードディスクを用いる。記憶部２１には、サーバプログラム２Ｐが記憶されている。また記憶部２１には、後述の画像ＤＢ２３へのアクセス認証に関する管理情報が記憶されている。例えば、商品の製造業者若しくは販売業者、又はエンドユーザ毎の認証情報と、認証情報に対応付けられている使用許可カタログとの対応が記憶されている。なお認証情報は不要な構成とし、いずれの端末販売支援端末装置１からも全てのカタログを閲覧することが可能な構成としてもよく、この場合、管理情報は不要である。一時記憶部２２は、ＤＲＡＭ等のＲＡＭを用いる。一時記憶部２２は、制御部２０の処理によって生成される情報を一時的に記憶する。
【００２７】
画像ＤＢ２３は、ハードディスク又は販売支援サーバ装置２外の記憶装置を用いる。制御部２１は、画像ＤＢ２３から画像データを読み出す。画像ＤＢ２３に記憶される画像データは、販売支援サービスを利用する製造業者又は販売業者等から提供された取扱商品の画像であって、背景が透明化されているものである。画像の形式は例えばＧＩＦ、ＰＮＧ等を用いる。画像ＤＢ２３において各商品画像の画像データは、各商品を含むカタログ毎にフォルダ（ディレクトリ）に格納されて記憶されている。各フォルダにはカタログを識別する情報が対応付けられている。例えばフォルダ名はカタログ名である。なお画像データは、異なるカタログに含まれていても同一のフォルダに格納される構成としてもよく、その場合、同一のカタログに含まれるべき画像データには、共通部分（カタログを識別する情報）を有する名称が付けられているとよい。異なるカタログに対応する複数のフォルダに、同一の商品の画像データが重複して記憶されていてもよい。各商品画像の画像データには、商品を識別する品名若しくは品番、又は両方が対応付けられており、画像ＤＢ２３に記憶されている。画像データの名称に品名又は品番が含まれるようにしてもよい。また、商品を識別する品名又は品番以外に、商品の寸法、材質、色、重量、又は価格が対応付けられて記憶されているとよい。更に各商品の用途（装飾、アパレル、美容、ギフト、オフィス、ホーム、屋外、又は住宅設備等）を識別するキーワード、又は各商品のカテゴリを識別する様々なキーワード（和、北欧、モダン、キッズ、健康、又はメタリック等）が１つ又は複数、タグ付けされていてもよい。
【００２８】
通信部２４は、インターネットを含むネットワークＮに接続されており、ネットワークＮを介した販売支援端末装置１との通信を実現する。制御部２０は通信部２４によって販売支援端末装置１との間で、画像ＤＢ２３から読み出す画像データを含む各種情報を送受信することができる。
【００２９】
このように構成される販売支援サービスのシステムにおいて、販売支援端末装置１にて商品の実際の使用イメージを容易に提供するための処理について説明する。まず販売支援サーバ装置２における販売支援端末装置１からの依頼に基づく商品画像の画像データの抽出手順について説明する。図３は、販売支援サーバ装置２における画像データ抽出手順の一例を示すフローチャートである。
【００３０】
制御部２０は、販売支援端末装置１からの画像データ送信依頼を、通信部２４により受け付ける（ステップＳ１０１）。画像データ送信依頼には、販売支援端末装置１を使用する営業担当者Ｓ又はエンドユーザＣ等の使用者を識別する認証情報が含まれるとよい。認証情報が不要な場合、画像データ送信依頼には、商品画像の検索キーワード（例えば、カタログ名、製造業者又は販売業者の名称、ブランド名、商品名、価格、色、材質、用途、又は雰囲気）が含まれるとよい。画像データ送信依頼に認証情報及び検索キーワードの両方が含まれていてもよい。
【００３１】
制御部２０は、画像データ送信依頼に基づき、カタログを抽出する（ステップＳ１０２）。具体的に制御部２０は、画像データ送信依頼に認証情報が含まれている場合、認証情報に対応付けられている使用許可カタログを抽出する。また画像データ送信依頼に検索キーワードが含まれている場合、検索キーワードが対応するカタログを抽出する。なお、ステップＳ１０２においてはカタログ単位で抽出を行なうが、制御部２０は、検索キーワードが対応付け又タグ付けされている画像データを画像ＤＢ２３から抽出し、抽出した画像データを含むカタログを一時的に生成し、検索キーワードをカタログ名とし、これを抽出するようにしてもよい。
【００３２】
制御部２０は、ステップＳ１０２で抽出したカタログの画像データを、送信依頼元の販売支援端末装置１へ送信し（ステップＳ１０３）、処理を終了する。なおステップＳ１０３にて制御部２０は、抽出したカタログの画像データ夫々に対応付けられて画像ＤＢ２３に記憶されている品名、品番、寸法等、キーワードを共に送信してもよい。
【００３３】
次に、販売支援端末装置１側における処理について説明する。図４は、販売支援端末装置１にて実行される処理手順の一例を示すフローチャートである。営業担当者Ｓ又はエンドユーザＣ等の使用者が、販売支援端末装置１にてアプリプログラム１Ｐを実行する操作を行なった場合、以下の処理が実行される。
【００３４】
制御部１０は、初回起動か、又は更新タイミングか否かを判断し（ステップＳ２０１）、初回起動又は更新タイミングであると判断した場合（Ｓ２０１：ＹＥＳ）、画像データ送信依頼を通信部１５から送信する（ステップＳ２０２）。画像データ送信依頼に認証情報が必要な場合、制御部１０は記憶部１１から認証情報を読み出す。画像データ送信依頼に検索キーワードが必要な場合、制御部１０は表示部１３に入力画面を表示して操作部１４にて操作を受け付け、入力又は選択された検索キーワードを画像データ送信依頼に含める。次に制御部１０は、画像データ送信依頼に応じて販売支援サーバ装置２から送信された画像データを含むカタログを受信し（ステップＳ２０３）、受信した画像データを記憶部１１に画像データ１１０として又は一時記憶部１２に、カタログ毎に記憶する（ステップＳ２０４）。なおステップＳ２０１〜２０４は、初回起動以外は自動的にスキップするようにし、以後は販売支援端末装置１単独で動作するようにしてもよい。また更新タイミングは、アプリプログラム１Ｐを実行する都度のタイミング、即ちカタログは毎回ダウンロードする構成としてもよいし、所定時間（例えば１か月）の定期的なタイミングでもよいし、販売支援サーバ装置２からの更新通知を受けたタイミングでもよいし、使用者が更新を要望したタイミングであってもよい。
【００３５】
制御部１０は、初回起動か又は更新タイミングでないと判断した場合（Ｓ２０１：ＮＯ）、ステップＳ２０２〜Ｓ２０４をスキップし、撮像部１６にて撮像されている画像データ、又は予め撮像部１６により撮像されて記憶部１１に記憶されている画像データを取得する（ステップＳ２０５）。なおステップＳ２０５において、撮像部１６にてリアルタイムに撮像されている画像のデータを取得している場合には、シャッターボタンを表示部１３に表示し、使用者によるシャッターボタン上のタップを受け付けて撮像を行なって画像データを取得する。制御部１０は、取得した画像データに基づく撮像画像を表示部１３に表示させる（ステップＳ２０６）。
【００３６】
次に制御部１０は、記憶部１１に記憶された画像データ１１０に含まれるカタログ名を読み出し（ステップＳ２０７）、記憶部１１の画像データ１１０に記憶されているカタログに対応するフォルダの画像（フォルダアイコン）の一覧を、既に表示されている撮像画像と共に表示させる（ステップＳ２０８）。このとき制御部１０は、フォルダアイコン上又は近傍には、フォルダ名即ちカタログ名を表示させる。
【００３７】
制御部１０は、一覧表示されたフォルダアイコンのいずれかの選択を表示部１３上でのタップにより受け付け（ステップＳ２０９）、選択されたフォルダアイコンに対応するカタログに含まれる画像データを記憶部１１の画像データ１１０から読み出し、各商品画像のサムネイルを一覧表示させる（ステップＳ２１０）。更に制御部１０は、商品画像のサムネイルの選択をタップ及びドラッグにて受け付け（ステップＳ２１１）、選択されたサムネイルに対応する画像データに基づき、商品画像を撮像画像上のドラッグ先の位置に重畳させて表示する（ステップＳ２１２）。制御部１０は、タップ及びドラッグによる重畳表示された位置からの商品画像の移動、ピンチイン・アウトによる商品画像の拡縮又は回転を受け付ける（ステップＳ２１３）。
【００３８】
制御部１０は、商品画像の選択の受け付けが終了したか否かを判断する（ステップＳ２１４）。ステップＳ２１４にて具体的には、制御部１０は撮像画像が表示されている範囲（枠）又はフォルダアイコンの一覧以外の箇所のタップがされたか否かを判断し、枠外又は一覧以外の箇所がタップされた場合、選択の受け付けが終了したと判断する。制御部１０は、ステップＳ２１４にて、受け付けが終了していないと判断した場合（Ｓ２１４：ＮＯ）、処理をステップＳ２０９へ戻し、他のフォルダアイコン又は他の商品画像の選択を受け付けるほか、既に重畳表示している商品画像の位置、大きさ、傾きの変更（調整）を受け付ける。なおこのとき、商品画像のタップによって、商品画像の画像データに対応付けられて記憶されていた情報（商品の寸法、材質、色、重量、又は価格等）のテキストが表示画面内の余白部分、又は撮像画像上に表示されるようにしてもよい。
【００３９】
制御部１０は、ステップＳ２１４にて選択の受付が終了したと判断した場合（Ｓ２１４：ＹＥＳ）、重畳表示されている位置、大きさ及び傾きで商品画像を撮像画像と合成した合成画像を作成する（ステップＳ２１５）。ステップＳ２１５においては、商品画像に対応付けられて記憶されていた情報のテキストが重畳画像上に共に合成されてもよいし、合成画像のメタデータとして作成されてもよい。
【００４０】
制御部１０は、作成された合成画像を出力し（ステップＳ２１６）、処理を終了する。なおステップＳ２１６の合成画像の出力には、複数の形態が存在する。例えば記憶部１１の画像データ１１０への出力、通信部１５を介した外部のネットワークストレージへの出力、プリンタへの送信によるダイレクトプリント、又はＳＮＳ（Social Network Service）のクライアントプログラム経由でのＳＮＳサーバへ自動送信であってもよい。ＳＮＳサーバへの自動送信は、認証情報に予めＳＮＳサーバへのログイン情報等を紐づけして許可させる手続きをしておくことで連携した動作が可能になる。
【００４１】
上述の処理による表示画面の例を、図面を参照して具体的に説明する。図５〜８は、販売支援端末装置１における表示画面の一例を示す説明図である。図５は、上述の処理手順の内のステップＳ２０８において、制御部１０が取得した画像データに基づく撮像画像と共にフォルダアイコンの一覧を表示させた場合の表示例を示している。図５において操作部１４を含む表示部１３には、撮像画像３１及びフォルダアイコン３２の一覧が共に表示されている。図５の例において撮像画像３１は、エンドユーザＣがカタログの商品を設置しようと考えている実際の空間（例えば店舗内）を撮影した画像であり、フォルダアイコン３２は、各カタログ名（「カタログＡ」〜「カタログＨ」）と共に、並列して表示されている。複数のフォルダアイコン３２はいずれも、操作部１４により、表示部１３上のタップにて選択することが可能である。図５に示すように、本実施の形態における販売支援サービスにおいてカタログは、商品画像を格納したフォルダとして構成されている。
【００４２】
図６は、上述の処理手順の内のステップＳ２１０において、制御部１０が選択されたフォルダアイコンに対応するカタログに含まれる画像データに基づき、商品画像のサムネイルを一覧表示させた場合の表示例を示している。図６において表示部１３には、「カタログＡ」のフォルダアイコン３２がタップされた場合に、「カタログＡ」に含まれる商品画像３０のサムネイルが表示されている。図６の例において商品画像３０は、広告宣伝等のポスターを収めるパネルの画像であり、品名（「商品１」〜「商品６」）と共に、並列して表示されている。複数の商品画像３０はいずれも、操作部１４により、表示部１３上のタップにて選択することが可能である。図６に示すように、本実施の形態における販売支援サービスにおいてカタログは、商品画像夫々をデータとして含んで構成されている。
【００４３】
図７は、上述の処理手順の内のステップＳ２１１において、制御部１０が商品画像３０の選択をタップ及びドラッグにて受け付けている過程の一例を示している。図７において表示部１３には、「商品１」の商品画像３０のサムネイルがタップされたまま、白抜きの矢印のようにドラッグ操作がなされたことにより、「商品１」の商品画像３０が撮像画像３１上に重畳されて表示されている。
【００４４】
図８は、上述の処理手順の内のステップＳ２１５において合成画像が作成される前の表示画面例を示している。図８において表示部１３には、「カタログＡ」の「商品１」の商品画像３０が２つ、ピンチイン操作がなされたことによって図７の表示例から位置及び大きさが変更されて重畳表示されている。また図８の例では、ポスターパネル以外の商品として、観葉植物の商品画像３０が同様にして、撮像画像３１上に重畳表示されている。このように、本実施の形態における販売支援端末装置１では、商品画像３０をステッカー（スタンプ）のように手軽に撮像画像３１上に配置することができる。
【００４５】
なお図８に示す画面において撮像画像３１上に重畳されている各商品画像３０をタップした場合、タップされた商品画像３０の画像データに対応付けて記憶されていた情報のテキストが、撮像画像３１の枠外の余白部分に表示されてもよい。関連する情報のテキストが表示されることにより、使用者は重畳させた商品画像の情報を確認することができる。
【００４６】
このようにして、本実施の形態における販売支援サービスを利用した場合、使用者のタブレットＰＣは、販売支援端末装置１として機能し、販売支援サーバ装置２へ商品画像を提供した製造業者又は販売業者の取扱商品が、フォルダ化されたカタログとして表示し、撮像画像上への重畳及び合成を容易にする。これにより使用者は、実際に使用する環境を撮像した撮像画像に、商品画像３０を重畳させて得られる画像を容易に取得することができる。本実施の形態における販売支援端末装置１では、三次元データに基づいて精密に作成されるシミュレーションを用いることなしに、素早い手軽な操作が可能である。営業担当者Ｓが、エンドユーザＣ向けに商品の使用イメージを作成することが容易に可能になり、また、エンドユーザＣが購入の際に事前にイメージを作成したりすることも容易に可能になる。
【００４７】
販売支援端末装置１の制御部１０は更に、記憶部１１の画像データ１１０に記憶された商品画像３０から、検索キーワードによる抽出を行なうことができるようにしてもよい。販売支援サーバ装置２における抽出ではなく、販売支援端末装置１単体で、記憶部１１の画像データ１１０に記憶されている商品画像３０を、例えば色別に抽出するようにしてもよい。タグ付けによって抽出ができるようにしてもよい。また制御部１０が商品画像３０の選択の履歴を記録しておき、選択履歴に基づいて画像データを抽出することができるようにしてもよい。制御部１０は更に、フォルダを削除するようにしてカタログに対応する商品画像３０を記憶部１１の画像データ１１０から削除する操作を受け付けるようにしてもよい。
【００４８】
なお、上述のように開示された本実施の形態はすべての点で例示であって、制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００４９】
１  販売支援端末装置（販売支援装置）
１０  制御部
１３  表示部
１４  操作部
１Ｐ  アプリプログラム（販売支援プログラム）
３０  商品画像
３１  撮像画像
３２  フォルダアイコン（フォルダ画像）
【図１】
2016149022.tif 000003
【図２】
2016149022.tif 000004
【図３】
2016149022.tif 000005
【図４】
2016149022.tif 000006
【図５】
2016149022.tif 000007
【図６】
2016149022.tif 000008
【図７】
2016149022.tif 000009
【図８】
2016149022.tif 000010